(57)【要約】【課題】ディスク位置情報が互いに異なる記録フォーマットにて記録された複数のディスク媒体に対しデータを記録する装置の回路規模を好適に抑制する。【解決手段】８−１６変調回路１４０にて変調されたデータは、ＤＶＤ−Ｒ／ＲＷ用ライトストラテジ回路１５０又はＤＶＤ＋Ｒ／ＲＷ用ライトストラテジ回路１５５によって記録パルスに変換される。光学ヘッド１０では、この記録パルスに基づいてその出力の制御された記録レーザを光ディスク１に照射する。光ディスク１がＤＶＤ−Ｒ／ＲＷであるかＤＶＤ＋Ｒ／ＲＷであるかに応じて、光ディスクのレーザの照射位置を示すアドレス信号であるＬＰＰアドレス又はＡＤＩＰアドレスがＬＰＰアドレスデコーダ１１０かＡＤＩＰアドレスデコーダ１１５によって生成される。これらＬＰＰアドレスかＡＤＩＰアドレスに基づいて、タイミング制御回路１３０では、記録動作を制御する。【選択図】        図１
2004246948.tif 000002
【特許請求の範囲】
【請求項１】
所定のデータフォーマットに対応したディスク位置情報が互いに異なる記録フォーマットにて記録された複数種類のディスク媒体に対するデータの記録動作を制御するデータ記録制御装置であって、
ディスク媒体からの再生信号をデコードして、前記複数種類のディスク媒体のそれぞれに応じた前記ディスク位置情報を生成する複数のアドレスデコーダと、
該複数のアドレスデコーダの出力を選択するセレクタと、
前記セレクタで選択された前記ディスク位置情報に基づき、各ディスク媒体へのデータの書き込みタイミングを制御するタイミング制御回路とを備えることを特徴とするデータ記録制御装置。
【請求項２】
請求項１記載のデータ記録制御装置において、
記録するデータに所定の変調処理を施して変調データを生成する変調回路と、前記変調データに基づいて当該ディスク媒体に対する記録レーザの出力を制御する記録パルスを前記複数種類のディスク媒体毎にそれぞれ生成する複数のライトストラテジ回路と、
前記複数のライトストラテジ回路の出力を選択する第２のセレクタとを更に備えることを特徴とするデータ記録制御装置。
【請求項３】
請求項１記載のデータ記録制御装置において、
記録するデータに所定の変調処理を施して変調データを生成する変調回路と、前記変調データに基づいて前記複数種類のディスク媒体のそれぞれに対応する記録レーザに応じた記録パルスを生成するライトストラテジ回路とを更に備えることを特徴とするデータ記録制御装置。
【請求項４】
請求項３記載のデータ記録制御装置において、
前記ライトストラテジ回路は、前記変調データに基づいて前記記録パルスを生成するパルス生成部と、
前記複数種類のディスク媒体の種類に応じて前記パルス生成部での前記記録パルスの生成態様を設定するテーブルデータを格納するレジスタとを備えることを特徴とするデータ記録制御装置。
【請求項５】
請求項２〜４のいずれかに記載のデータ記録制御装置において、
前記記録パルスを取り込み、前記タイミング制御回路の指示に従って取り込んだ記録パルスを出力するゲート回路を更に備えることを特徴とするデータ記録制御装置。
【請求項６】
請求項１〜５のいずれかに記載のデータ記録制御装置において、
ディスク媒体からの再生信号に基づいて、前記複数種類のディスク媒体のそれぞれに応じたクロックを生成するクロック生成回路を更に備えることを特徴とするデータ記録制御装置。
【請求項７】
請求項１〜６のいずれかに記載のデータ記録制御装置において、
前記互いに異なる記録フォーマットにてディスク位置情報が記録された複数種類のディスク媒体は、当該ディスク媒体の記録トラックの所定間隔毎に形成されたランドプリピットに前記ディスク位置情報が記録される第１のディスク媒体と、当該ディスク媒体の記録トラックに形成された蛇行成分に前記ディスク位置情報が記録される第２のディスク媒体とであることを特徴とするデータ記録制御装置。
【発明の詳細な説明】
【０００１】
【発明の属する技術分野】
本発明は、所定のデータフォーマットに対応したディスク位置情報が互いに異なる記録フォーマットにて記録された複数種類のディスク媒体に対するデータの記録動作を制御するデータ記録制御装置に関する。
【０００２】
【従来の技術】
近年、記録媒体として光ディスク等、ディスク媒体が普及してきている。こうした状況下、ディスク媒体に記録されるデータのフォーマットを共通としつつもディスク媒体に形成されているディスク位置情報の記録フォーマットが互いに異なるものも市場に出回りつつある。
【０００３】
例えば、ＤＶＤ−Ｒ（Ｄｉｇｉｔａｌ  Ｖｅｒｓａｔｉｌｅ  Ｄｉｓｃ−Ｒｅｃｏｒｄａｂｌｅ）及びＤＶＤ−ＲＷ（Ｄｉｇｉｔａｌ  Ｖｅｒｓａｔｉｌｅ  Ｄｉｓｃ−Ｒｅｗｒｉｔａｂｌｅ）と、ＤＶＤ＋Ｒ（Ｄｉｇｉｔａｌ  Ｖｅｒｓａｔｉｌｅ  Ｄｉｓｃ＋Ｒｅｃｏｒｄａｂｌｅ）及びＤＶＤ＋ＲＷ（Ｄｉｇｉｔａｌ  Ｖｅｒｓａｔｉｌｅ  Ｄｉｓｃ＋Ｒｅｗｒｉｔａｂｌｅ）とがそれである。これらＤＶＤ−Ｒ及びＤＶＤ−ＲＷ（以下、ＤＶＤ−Ｒ／ＲＷ）とＤＶＤ＋Ｒ及びＤＶＤ＋ＲＷ（以下、ＤＶＤ＋Ｒ／ＲＷ）とは、図３に示す互いに共通したデータフォーマットに従ったデータを記録すべく規格化されたディスク媒体である。
【０００４】
図３に示すデータである上記各ディスク媒体への記録対象となるＤＶＤデータは、８ビットのデータが１６ビットのデータに変調され、更に同期信号等が付与されたものである。詳しくは、３２ビットの同期信号（図中、「シンク」と表記）と、１４５６ビットの変調されたデータとからなる。すなわち、７２８ビット分のデータが８−１６変調されることで１４５６ビットのデータとなり、これら各変調された１４５６ビットのデータ毎に、その先頭に３２ビットの同期信号（シンク）が付与されて１フレーム分の記録データが生成されている。ＤＶＤでは、この１フレーム分の記録データが２６個で１セクタとして取り扱われる。この図３には、ＤＶＤにおける１セクタ分の記録データの構造が示されている。
【０００５】
このような所定のフォーマットを有するＤＶＤデータを記録する上記各ディスク媒体は、それぞれ以下のような記録フォーマットにてそのディスク位置情報を記録する。
【０００６】
上記ＤＶＤ−Ｒ／ＲＷは、ディスクの平坦面（ランド）に形成されるグルーブとよばれる溝によって構成されるトラックを備えている。このグルーブはわずかに蛇行（ウォブル）して形成されており、この蛇行から、所定の周期を有するウォブル信号が取り出される。このウォブルは、上記データフォーマットの２フレーム分のデータ記録領域に１６周期の割合で形成されている。
【０００７】
また、このディスク媒体には、ウォブルに加えてランドプリピット（ＬＰＰ）とよばれるディスク位置情報を含む領域が、トラック上に所定の間隔で設けられている。詳しくは、このＬＰＰは、上記データフォーマットの２フレームに対応したデータの記録領域毎に設けられている。そして、上記データフォーマットの各１６セクタ分の記録領域に設けられるＬＰＰの集合によって、そのディスク位置情報が示されるものとなっている。
【０００８】
一方、ＤＶＤ＋Ｒ／ＲＷも、ディスクの平坦面（ランド）に形成されるグルーブとよばれる溝によって構成されるトラックを備えている。また、このグルーブもわずかに蛇行（ウォブル）して形成されており、この蛇行から、所定の周期を有するウォブル信号が取り出される。
【０００９】
ただし、このウォブルは、上記データフォーマットの２フレーム分の記録領域に９３周期で形成されている。また、ＤＶＤ＋Ｒ／ＲＷには、上記ディスク位置情報を含むＬＰＰが形成されていない。これに代えて、上記グルーブは、上記ウォブル信号に上記所定の周期に対しＡＤＩＰ（ＡＤｄｒｅｓｓ  Ｉｎ  Ｐｒｅｇｒｏｏｖｅ）と呼ばれるディスク位置情報に応じた位相変調が施されるようにして形成されている。詳しくは、このウォブルには、上記データフォーマットの２フレームのデータの記録領域毎に１度位相変調がなされている。そして、上記データフォーマットの各４セクタ分の記録領域から得られるＡＤＩＰによって、そのディスク位置情報が示されるものとなっている。
【００１０】
このように、ディスク媒体としてのＤＶＤ−Ｒ／ＲＷとＤＶＤ＋Ｒ／ＲＷとは、そのディスク位置情報の記録フォーマットが異なるために、これらに対しデータを記録する装置は、ＤＶＤ−Ｒ／ＲＷとＤＶＤ＋Ｒ／ＲＷとで各別の回路を備えることとなる。すなわち、例えば図４に示すような構成が考えられる。この図４は、これらＤＶＤ−Ｒ／ＲＷとＤＶＤ＋Ｒ／ＲＷとをディスク媒体としてこれにデータを記録する装置の構成例を、それらにデータを記録する際の信号の流れと共に例示したものである。
【００１１】
まず、図４に示す光ディスク３０１をＤＶＤ−Ｒ又はＤＶＤ−ＲＷとしてこれにデータを書き込む場合、まず、光学ヘッド３１０により光ディスク３０１からピックアップされた信号がＬＰＰ検出回路３２０に入力される。この入力を受けて、ＬＰＰ検出回路３２０はＬＰＰ信号を出力する。そして、このＬＰＰ信号を入力として、ＬＰＰアドレスデコーダ３２１は上記ディスク位置情報（ＬＰＰアドレス）を取り出す。
【００１２】
こうして読み取られたＬＰＰアドレスは、タイミング制御回路３２２に入力される。そして、８−１６変調回路３２３は、このタイミング制御回路３２２からの指令を受けて、外部から送られてきた記録対象のデータに変調処理を行い、これをＤＶＤ−Ｒ／ＲＷ用ライトストラテジ回路３２４に出力する。ＤＶＤ−Ｒ／ＲＷ用ライトストラテジ回路３２４は、変調されたデータを、ディスクに記録するレーザの出力を制御する記録パルスに変換して出力する。このＤＶＤ−Ｒ／ＲＷ用ライトストラテジ回路３２４から出力された記録パルスは、ライトシグナルゲート３２５に送出される。ライトシグナルゲート３２５はタイミング制御回路３２２の指示に従って記録パルスを光学ヘッド３１０へ出力する。このライトシグナルゲート３２５から出力された記録パルスは、切替制御信号により入力信号を選択的に出力するセレクタ３４０を介して、光学ヘッド３１０に取り込まれる。これにより、ＤＶＤ−Ｒ／ＲＷに対するデータの書き込みが行われることとなる。
【００１３】
一方、図４に示す光ディスク３０１をＤＶＤ＋Ｒ又はＤＶＤ＋ＲＷとしてこれにデータを書き込む場合にも、まず、光学ヘッド３１０により光ディスク３０１からピックアップされた信号がウォブル検出回路３３０に入力される。この入力を受けて、ウォブル検出回路３３０はウォブル信号を出力する。そして、このウォブル信号を入力として、ＡＤＩＰアドレス３３１デコーダはディスク位置情報（ＡＤＩＰアドレス）を取り出す。
【００１４】
こうして読み取られたＡＤＩＰアドレスは、タイミング制御回路３３２に入力される。そして、８−１６変調回路３３３は、このタイミング制御回路３３２からの指令を受けて、外部から送られてきた記録対象のデータに変調処理を行い、これをＤＶＤ＋Ｒ／ＲＷ用ライトストラテジ回路３３４に出力する。ＤＶＤ＋Ｒ／ＲＷ用ライトストラテジ回路３３４は、変調されたデータをＤＶＤ＋Ｒ／ＲＷ用の記録パルスに変換して出力する。このＤＶＤ＋Ｒ／ＲＷ用ライトストラテジ回路３３４から出力された記録パルスは、ライトシグナルゲート３３５に送出される。ライトシグナルゲート３２５はタイミング制御回路３３２の指示に従って記録パルスを光学ヘッド３１０に出力する。このライトシグナルゲート３３５から出力された記録パルスは、切替制御信号により入力信号を選択的に出力するセレクタ３４０を介して、光学ヘッド３１０に取り込まれる。これにより、ＤＶＤ＋Ｒ／ＲＷに対するデータの書き込みが行われることとなる。
【００１５】
【発明が解決しようとする課題】
上述のように、ＤＶＤ−Ｒ／ＲＷとＤＶＤ＋Ｒ／ＲＷとをディスク媒体としてこれにデータを記録する装置を構成する場合、これら各ディスクに応じた各別の回路を備えることとなる。その結果、こうした装置では、回路規模の増大が無視できないものとなる。
【００１６】
なお、上記ＤＶＤ−Ｒ／ＲＷとＤＶＤ＋Ｒ／ＲＷとに限らず、所定のデータフォーマットに対応したディスク位置情報が互いに異なる記録フォーマットにて記録されている複数のディスク媒体に対しデータを記録する装置にあっては、その回路規模が増大するこうした実情も概ね共通したものになっている。
【００１７】
本発明は上記実情に鑑みてなされたものであり、その目的は、ディスク位置情報が互いに異なる記録フォーマットにて記録された複数のディスク媒体に対しデータを記録する場合において、その回路規模を好適に抑制することのできるデータ記録制御装置を提供することにある。
【００１８】
【課題を解決するための手段】
この発明は、所定のデータフォーマットに対応したディスク位置情報が互いに異なる記録フォーマットにて記録された複数種類のディスク媒体に対するデータの記録動作を制御するデータ記録制御装置であって、ディスク媒体からの再生信号をデコードして、前記複数種類のディスク媒体のそれぞれに応じた前記ディスク位置情報を生成する複数のアドレスデコーダと、該複数のアドレスデコーダの出力を選択するセレクタと、前記セレクタで選択された前記ディスク位置情報に基づき、各ディスク媒体へのデータの書き込みタイミングを制御するタイミング制御回路とを備えることで、ディスク位置情報が互いに異なる記録フォーマットにて記録された複数のディスク媒体に対しデータを記録する場合において、その回路規模を好適に抑制することを可能とする。
【００１９】
【発明の実施の形態】
（第１の実施形態）
以下、本発明にかかるデータ記録制御装置をＤＶＤ−Ｒ／ＲＷとＤＶＤ＋Ｒ／ＲＷとをディスク媒体としてこれにデータを記録するための制御を行うデータ記録制御装置に適用した第１の実施形態について、図面を参照しつつ説明する。
【００２０】
図１は、本実施形態のデータ記録制御装置を備えるデータ記録装置について、当該データ記録制御装置及びその周辺の構成を、それらにデータを記録する際のデータの流れと共に示すブロック図である。
【００２１】
ここで、光ディスク１は、ＤＶＤ−Ｒ／ＲＷ又はＤＶＤ＋Ｒ／ＲＷである。また、本実施形態にかかるデータ記録制御装置１００は、図示しないバッファメモリ等からデータを取り込み、これに対応した記録パルスを生成して光学ヘッド１０に出力する装置である。また、光学ヘッド１０は、光ディスク１に照射する再生用のレーザや記録用のレーザの反射光を受光する機能を有し、この反射光に基づいて光ディスク１に記録されているデータ等の再生信号を生成する。
【００２２】
一方、ＬＰＰ検出回路２０は、上記光ディスク１がＤＶＤ−Ｒ／ＲＷである場合に、光学ヘッド１０により光ディスク１からピックアップされた信号を取り込んで、これからＬＰＰ信号を生成出力する回路である。
【００２３】
これに対し、ウォブル検出回路３０は、光学ヘッド１０により光ディスク１からピックアップされた信号を取り込んで、これからウォブル信号を生成出力する回路である。すなわち、上記光ディスク１がＤＶＤ−Ｒ／ＲＷである場合、同ＤＶＤ−Ｒ／ＲＷに形成されているウォブルに基づいたウォブル信号を生成する回路である。また、上記光ディスク１がＤＶＤ＋Ｒ／ＲＷである場合、同ＤＶＤ＋Ｒ／ＲＷに形成されているウォブルに基づいたウォブル信号を生成する回路である。
【００２４】
ここで、上記データ記録制御装置１００について更に説明する。
【００２５】
このデータ記録制御装置１００は、光ディスク１がＤＶＤ−Ｒ／ＲＷである場合、上記ＬＰＰ検出回路２０から出力されるＬＰＰ信号に基づいて光ディスク１に対するレーザの照射位置を把握する機能を有する。詳しくは、上記ＬＰＰ信号は、ＬＰＰアドレスデコーダ１１０に取り込まれ、ここでデコードされる。これにより、上記フレーム単位のデータが記録される領域に対応した同期信号や、光ディスク１上の上記セクタ単位のデータ記録領域を示すアドレス信号（ＬＰＰアドレス）が生成される。そして、光ディスク１がＤＶＤ−Ｒ／ＲＷである場合、このＬＰＰアドレスが、光ディスク１に対するレーザの照射位置を把握するための信号となる。
【００２６】
更に、データ記録制御装置１００は、光ディスク１がＤＶＤ＋Ｒ／ＲＷである場合、上記ウォブル検出回路３０から出力されるウォブル信号に基づいて光ディスク１に対するレーザの照射位置を把握する機能を有する。詳しくは、上記ウォブル信号は、ＡＤＩＰアドレスデコーダ１１５に取り込まれ、ここでデコードされる。これにより、上記フレーム単位のデータが記録される領域に対応した同期信号や、光ディスク１上の上記セクタ単位のデータ記録領域を示すアドレス信号（ＡＤＩＰアドレス）が生成される。そして、光ディスク１がＤＶＤ＋Ｒ／ＲＷである場合、このＡＤＩＰアドレスが、光ディスク１に対するレーザの照射位置を把握するための信号となる。
【００２７】
これらＬＰＰアドレスデコーダ１１０にて生成されるＬＰＰアドレスやＡＤＩＰアドレスデコーダ１１５にて生成されるＡＤＩＰアドレスは、基本的に同一のデータフォーマットに従ったアドレスデータである。すなわち、ＤＶＤ−Ｒ／ＲＷとＤＶＤ＋Ｒ／ＲＷとは、先の図３に示したデータフォーマットに対応したアドレスデータ（ディスク位置情報）が互いに異なる記録フォーマットにて記録されているものであるため、この記録されたデータがデコードされたものは互いに共通のデータとすることができる。なお、これらＬＰＰアドレスやＡＤＩＰアドレスは、切替制御信号により入力信号を選択的に出力するセレクタ１２０を介してタイミング制御回路１３０に出力される。
【００２８】
このタイミング制御回路１３０は、上記ＬＰＰアドレス又はＡＤＩＰアドレスに基づいて把握される光ディスク１に対するレーザの照射位置に基づいて、当該データ記録制御にかかる動作タイミングを制御する回路である。
【００２９】
次に、このタイミング制御回路１３０にてその動作タイミングが制御されるデータ記録制御装置１００内の回路について説明する。
【００３０】
８−１６変調回路１４０は、入力されるデータを先の図３に示したフォーマットのデータに変調する回路である。すなわち、光ディスク１がＤＶＤ−Ｒ／ＲＷ又はＤＶＤ＋Ｒ／ＲＷのいずれである場合であれ、ＤＶＤのフォーマットに符号化されたデータを光ディスク１に実際に記録するデータとなる変調データに変調する回路である。
【００３１】
一方、ＤＶＤ−Ｒ／ＲＷ用ライトストラテジ回路１５０は、上記８−１６変調回路１４０から出力される変調データに所定のパルス変換処理を施すことでＤＶＤ−Ｒ／ＲＷにとって適切なレーザの強度や照射時間にレーザを制御するための記録パルスを生成する回路である。
【００３２】
また、ＤＶＤ＋Ｒ／ＲＷ用ライトストラテジ回路１５５は、上記８−１６変調回路１４０から出力される変調データに所定のパルス変換処理を施すことでＤＶＤ＋Ｒ／ＲＷにとって適切なレーザの強度や照射時間にレーザを制御するための記録パルスを生成する回路である。
【００３３】
これらの回路としては、例えば特開平６−３１３３２９号公報や特開２０００−５７５７１号公報に記載されているライトストラテジ回路を適用することができる。
【００３４】
そして、これらＤＶＤ−Ｒ／ＲＷ用ライトストラテジ回路１５０や、ＤＶＤ＋Ｒ／ＲＷ用ライトストラテジ回路１５５から出力される記録パルスは、切替制御信号により入力信号を選択的に出力するセレクタ１６０を介してライトシグナルゲート１６５に取り込まれる。このライトシグナルゲート１６５は、記録パルスを外部へ（ここでは光学ヘッド１０へ）出力するか否かを制御する回路である。そして、ライトシグナルゲート１６５から記録パルスが出力されると、上記光学ヘッド１０では、入力される記録パルスに応じてレーザを生成し、これを光ディスク１へ照射する。
【００３５】
なお、当該データ記録制御装置１００内の各回路は、ＤＶＤ−Ｒ／ＲＷ用クロック生成回路１７０又はＤＶＤ＋Ｒ／ＲＷ用クロック生成回路１７５の生成するクロックＣＬＫを動作クロックとして動作する。
【００３６】
ここで、ＤＶＤ−Ｒ／ＲＷ用クロック生成回路１７０は、上記ウォブル検出回路３０から出力されるウォブル信号に基づいてＤＶＤ−Ｒ／ＲＷに適したクロックＣＬＫを生成する。すなわち、ＤＶＤ−Ｒ／ＲＷの場合、上記データフォーマットの２フレーム分のデータ記録領域に１６周期の割合でウォブルが形成されていることから、ウォブル信号の１周期あたり例えば「１８６」クロックとなるように動作クロックを生成する。これにより、光ディスク１に対するレーザの照射位置が１ビット分のデータ記録領域だけ変位する時間を１クロックとする動作クロックが生成される。
【００３７】
一方、ＤＶＤ＋Ｒ／ＲＷ用クロック生成回路１７５は、上記ウォブル検出回路３０から出力されるウォブル信号に基づいてＤＶＤ＋Ｒ／ＲＷに適したクロックＣＬＫを生成する。すなわち、ＤＶＤ＋Ｒ／ＲＷの場合、上記データフォーマットの２フレーム分のデータ記録領域に９３周期の割合でウォブルが形成されていることから、ウォブル信号の１周期あたり例えば「３２」クロックとなるように動作クロックを生成する。これにより、光ディスク１に対するレーザの照射位置が１ビット分のデータ記録領域だけ変位する時間を１クロックとする動作クロックが生成される。
【００３８】
そして、これらＤＶＤ−Ｒ／ＲＷ用クロック生成回路１７０やＤＶＤ＋Ｒ／ＲＷ用クロック生成回路１７５の生成するクロックは、切替制御信号に応じて入力信号を選択的に出力するセレクタに取り込まれる。これにより、当該データ記録制御装置内の各回路は、上記ＤＶＤ−Ｒ／ＲＷ用クロック生成回路１７０やＤＶＤ＋Ｒ／ＲＷ用クロック生成回路１７５の生成するクロックを動作クロックとすることで、回転制御される光ディスク１の動作に対応して動作するものとなる。
【００３９】
ここで、光ディスク１がＤＶＤ−Ｒである場合の当該データ記録制御装置１００による記録制御について説明する。なお、光ディスク１がＤＶＤ−ＲＷである場合も同様であるため、この場合の制御については説明を割愛する。
【００４０】
この場合、セレクタ１８０によって、ＤＶＤ−Ｒ／ＲＷ用クロック生成回路１７０の生成するクロックの出力が選択的に出力される。そして、回転制御される光ディスク１にレーザを照射することで得られる再生信号から生成される上記ＬＰＰ信号がＬＰＰアドレスデコーダ１１０に取り込まれ、ここでＬＰＰアドレスが生成される。そして、この場合、セレクタ１２０によって、このＬＰＰアドレスが選択的にタイミング制御回路１３０に出力される。
【００４１】
一方、タイミング制御回路１３０に対しては、記録を開始するデータのアドレス情報や、この記録対象のデータを光ディスク１上のどの位置から記録するかを示すアドレス情報（ディスクのアドレス）が外部から指示される。そして、これにより、タイミング制御回路１３０は、上記８−１６変調回路１４０や、ＤＶＤ−Ｒ／ＲＷ用ライトストラテジ回路１５０、ライトシグナルゲート１６５の動作を制御する。詳しくは、まず、レーザの照射位置が記録の開始を所望する位置となるタイミングに対して変調に要する時間及び記録パルスの生成に要する時間に所定時間を加算した時間だけ前となるタイミングで変調を開始するよう変調回路１４０に指令する。更に、レーザの照射位置が記録の開始を所望する位置となるタイミングまで記録パルスのうちの実際に記録を所望するパルスをＤＶＤ−Ｒ／ＲＷ用ライトストラテジ回路１５０にて保持しつつ待機するよう８−１６変調回路１４０及びＤＶＤ−Ｒ／ＲＷ用ライトストラテジ回路１５０に指令する。
【００４２】
これにより、変調回路１４０における変調処理やＤＶＤ−Ｒ／ＲＷ用ライトストラテジ回路１５０による変調データの記録パルスへの変換処理の終了時において、レーザの照射位置は、記録を所望する位置よりも前の位置となる。そして、レーザの照射位置が所望の位置となるタイミングで、変調回路１４０及びＤＶＤ−Ｒ／ＲＷ用ライトストラテジ回路１５０及びライトシグナルゲート１６５を起動する。この際、セレクタ１６０はＤＶＤ−Ｒ／ＲＷ用ライトストラテジ回路１５０の出力を選択的にライトシグナルゲート１６５に出力するよう切替制御信号によって選択されている。
【００４３】
なお、ＤＶＤ−Ｒ／ＲＷ用ライトストラテジ回路１５０によって生成される記録パルスの途中からデータの記録を開始する場合には、同生成された記録パルスのうち記録を所望しない記録パルスは、ライトシグナルゲート１６５に出力される。しかし、この時点では、タイミング制御回路１３０からの指示によってライトシグナルゲート１６５は出力を禁じられているために、この記録を所望しないデータが光ディスク１に書き込まれることはない。
【００４４】
次に、光ディスク１がＤＶＤ＋Ｒである場合の当該データ記録制御装置１００による記録制御について説明する。なお、光ディスク１がＤＶＤ＋ＲＷである場合も同様であるため、この場合の制御については説明を割愛する。
【００４５】
この場合、セレクタ１８０によって、ＤＶＤ＋Ｒ／ＲＷ用クロック生成回路１７５の生成するクロックの出力が選択的に出力される。そして、回転制御される光ディスク１にレーザを照射することで得られる再生信号から生成される上記ウォブル信号がＡＤＩＰアドレスデコーダ１１５に取り込まれ、ここでＡＤＩＰアドレスが生成される。そして、この場合、セレクタ１２０によって、このＡＤＩＰアドレスが選択的にタイミング制御回路１３０に出力される。
【００４６】
一方、タイミング制御回路１３０は、記録を開始するデータのアドレス情報等が外部から指示されることで、上記８−１６変調回路１４０や、ＤＶＤ＋Ｒ／ＲＷ用ライトストラテジ回路１５５、ライトシグナルゲート１６５の動作を、上述した制御に準じた態様にて制御する。
【００４７】
このように本実施形態では、タイミング制御回路１３０をＤＶＤ−Ｒ／ＲＷとＤＶＤ＋Ｒ／ＲＷとで共有化することで、回路規模の低減を図ることができる。
【００４８】
以上説明した本実施形態によれば、以下の効果が得られるようになる。
【００４９】
（１）ＬＰＰアドレスデコーダ１１０の出力するＬＰＰアドレスとＡＤＩＰアドレスデコーダ１１５の出力するＡＤＩＰアドレスとのいずれかを選択的にタイミング制御回路１３０に出力するセレクタ１２０を備えた。これにより、光ディスク１がＤＶＤ−Ｒ／ＲＷである場合とＤＶＤ＋Ｒ／ＲＷである場合とで、タイミング制御回路１３０を共有化することができ、ひいては、当該データ記録制御装置１００の回路規模を低減することができるようになる。
【００５０】
（２）ＤＶＤ−Ｒ／ＲＷ用ライトストラテジ回路１５０の出力する記録パルスとＤＶＤ＋Ｒ／ＲＷ用ライトストラテジ回路１５５の出力する記録パルスとのいずれかを選択的にライトシグナルゲート１６５に出力するセレクタ１６０を備えた。これにより、光ディスク１がＤＶＤ−Ｒ／ＲＷである場合とＤＶＤ＋Ｒ／ＲＷである場合とで、ライトシグナルゲート１６５を共有化することができ、ひいては、当該データ記録制御装置１００の回路規模を低減することができるようになる。
【００５１】
（第２の実施形態）
以下、本発明にかかるデータ記録制御装置をＤＶＤ−Ｒ／ＲＷとＤＶＤ＋Ｒ／ＲＷとをディスク媒体としてこれにデータを記録するための制御を行うデータ記録制御装置に適用した第２の実施形態について、上記第１の実施形態との相違点を中心に図面を参照しつつ説明する。
【００５２】
図２は、本実施形態のデータ記録制御装置を備えるデータ記録装置について、当該データ記録制御装置及びその周辺の構成を、それらにデータを記録する際のデータの流れと共に示すブロック図である。なお、図２では、先の図１に示した部材と同一の部材については便宜上同一の符号を付した。
【００５３】
上記第１の実施形態では、ＤＶＤ−Ｒ／ＲＷ用ライトストラテジ回路１５０とＤＶＤ＋Ｒ／ＲＷ用ライトストラテジ回路１５５とを各別に備え、これらいずれかの出力する記録パルスをセレクタ１６０によって選択的にライトシグナルゲート１６５に出力する構成とした。これに対し、本実施形態では、ＤＶＤ−Ｒ／ＲＷに適した記録パルスとＤＶＤ＋Ｒ／ＲＷに適した記録パルスとを生成する単一のライトストラテジ回路２５０を備える。
【００５４】
詳しくは、ライトストラテジ回路２５０は、上記変調されたデータに基づいて記録パルスを生成するパルス生成部２５２と、ＤＶＤ−Ｒ／ＲＷとＤＶＤ＋Ｒ／ＲＷとに応じて上記パルス生成部２５２による記録パルスの生成態様を設定するテーブルデータを格納するレジスタ２５４とを備えている。
【００５５】
ここで、パルス生成部２５２は、変調されたデータの各パルス毎に、これを１又は複数のパルスからなる記録パルスにパルス変調する回路である。そして、この各記録パルスについて、その構成する各パルスのパルス幅、パルスのエッジ、パルス波高値、パルス数は、それぞれ変調データに応じて決定される可変パラメータとなる。
【００５６】
一方、上記レジスタ２５４は、光ディスク１の種類に応じて、上記変調されたデータから記録パルスへのパルス変調態様を設定するテーブルデータを、換言すれば変調されたデータに対応して上記各可変パラメータを決定するテーブルデータを格納している。このテーブルデータは光ディスク１の種類に応じて、例えば当該データ記録装置の各部の制御を統括するマイクロコンピュータ（図示略）からレジスタ２５４に書き込まれる。そして、これにより、パルス生成部２５２では、レジスタ２５４に格納されているテーブルデータと入力される変調されたデータとに基づいて記録パルス生成のための演算を行い、この演算処理の結果生成される記録パルスを出力する。
【００５７】
更に、本実施形態では、ＤＶＤ−Ｒ／ＲＷとＤＶＤ＋Ｒ／ＲＷとにデータを記録する際に用いる各クロックを生成する単一のクロック生成回路２７０を備える。詳しくは、このクロック生成回路２７０は、入力されるウォルブ信号に基づいてクロックを生成するＰＬＬ回路２７２と、外部から入力される切替信号に応じて同ＰＬＬ回路２７２のクロックの生成態様を切り替える切替回路２７４とを備えている。
【００５８】
すなわち、切替信号によりＤＶＤ−Ｒ／ＲＷ用のクロックが指定された場合、入力されるウォブル信号の１ウォブルあたり例えば「１８６」クロックとなるようにＰＬＬ回路２７２を制御する。一方、切替信号によりＤＶＤ＋Ｒ／ＲＷ用のクロックが指定された場合、入力されるウォブル信号の１ウォブルあたり例えば「３２」クロックとなるようにＰＬＬ回路２７２を制御する。いずれにせよ、こうした切替制御によって、光ディスク１に対するレーザの照射位置が１ビット分のデータ記録領域だけ変位する時間を１クロックとする動作クロックが生成される。
【００５９】
以上説明した本実施形態によれば、以下の効果が得られるようになる。
【００６０】
（３）変調されたデータに基づいて記録パルスを生成するパルス生成部２５２と、ＤＶＤ−Ｒ／ＲＷとＤＶＤ＋Ｒ／ＲＷとに応じて上記パルス生成部２５２による記録パルスの生成態様を設定するテーブルデータを格納するレジスタ２５４とを備えるライトストラテジ回路２５０を設けた。これにより、ＤＶＤ−Ｒ／ＲＷとＤＶＤ＋Ｒ／ＲＷとで上記パルス生成部２５２を共有化することができ、ひいては、当該データ記録制御装置２００の回路規模を低減することができるようになる。
【００６１】
（４）本実施形態では、ＤＶＤ−Ｒ／ＲＷとＤＶＤ＋Ｒ／ＲＷとにデータを記録する際に用いる各クロックを生成する単一のクロック生成回路２７０を備えることで、当該データ記録制御装置２００の回路規模を低減することができるようになる。
【００６２】
なお、上記各実施形態は、以下のように変更して実施してもよい。
【００６３】
・動作クロックは、ウォブル信号から生成するものに限らない。例えばＤＶＤ−Ｒ／ＲＷへのデータ記録制御に対しては、ＬＰＰ信号から生成してもよい。また、回転制御される光ディスク１に照射されるレーザの反射信号に基づいて生成するクロックにも限らず、例えば水晶発振子等の発振器によって生成されたクロックでもよく、この場合、光ディスク１の回転動作を同水晶発振子に対応するように制御すればよい。
【００６４】
・上記第２の実施形態では、ＤＶＤ−Ｒ／ＲＷとＤＶＤ＋Ｒ／ＲＷとで、記録パルスのパルス幅とパルス波高値との両方を生成するパルス生成部２５２を共有化したが、これに限らない。例えばパルス幅及びパルス波高値のいずれか一方の生成にかかる回路のみをＤＶＤ−Ｒ／ＲＷとＤＶＤ＋Ｒ／ＲＷとで共有してもよい。
【００６５】
・上記各実施形態では、タイミング制御回路の制御対象が変調回路及びライトストラテジ回路及びライトシグナルゲートであったがこれに限らない。例えば当該データ記録制御装置がライトシグナルゲート（ゲート回路）を備えない場合、変調回路及びライトストラテジ回路を制御対象としてもよい。また、変調回路が当該データ記録制御装置内に備えられていない場合、タイミング制御回路の制御対象は、例えばライトストラテジ回路であってもよく、また、ライトストラテジ回路及びライトシグナルゲート（ゲート回路）であってもよい。
【００６６】
・データ記録制御装置の構成は、上記各実施形態やそれらの変形例で例示したものに限らず、光ディスク１がＤＶＤ−Ｒ／ＲＷである場合とＤＶＤ＋Ｒ／ＲＷである場合とで、タイミング制御回路を共有化することができる範囲で適宜変更してよい。
【００６７】
・光ディスクとしては、ＤＶＤ−Ｒ／ＲＷやＤＶＤ＋Ｒ／ＲＷに限らない。要は、所定のデータフォーマットに従ったデータのアドレス情報に対応したディスク位置情報が互いに異なる記録フォーマットにて記録されている第１のディスク媒体と第２のディスク媒体とであれば、これらに対してタイミング制御回路を共有化することは有効である。
【００６８】
【発明の効果】
本願によれば、複数のディスク媒体に対してタイミング制御回路を共有化することができ、回路規模を低減することができるようになる。
【図面の簡単な説明】
【図１】第１の実施形態にかかるデータ記録制御装置及びその周辺回路の構成を示すブロック図。
【図２】第２の実施形態にかかるデータ記録制御装置及びその周辺回路の構成を示すブロック図。
【図３】ＤＶＤにおいて変調されたデータのフォーマットを示す図。
【図４】ＤＶＤ−Ｒ／ＲＷとＤＶＤ＋Ｒ／ＲＷとにデータを記録する従来のデータ記録装置の構成を例示する図。
【符号の説明】
１…光ディスク、１０…光学ヘッド、２０…ＬＰＰ検出回路、３０…ウォブル検出回路、１００…データ記録制御装置、１１０…ＬＰＰアドレスデコーダ、１１５…ＡＤＩＰアドレスデコーダ、１２０…セレクタ、１３０…タイミング制御回路、１４０…８−１６変調回路、１５０…ＤＶＤ−Ｒ／ＲＷ用ライトストラテジ回路、１５５…ＤＶＤ＋Ｒ／ＲＷ用ライトストラテジ回路、１６０…セレクタ、１６５…ライトシグナルゲート、１７０…ＤＶＤ−Ｒ／ＲＷ用クロック生成回路、１７５…ＤＶＤ＋Ｒ／ＲＷ用クロック生成回路、１８０…セレクタ、２００…データ記録制御装置、２５０…ライトストラテジ回路、２５２…パルス生成部、２５４…レジスタ、２７０…クロック生成回路、２７２…ＰＬＬ回路、２７４…切替回路。
【図１】
2004246948.tif 000003
【図２】
2004246948.tif 000004
【図３】
2004246948.tif 000005
【図４】
2004246948.tif 000006
【手続補正書】
【提出日】平成16年1月16日(2004.1.16)
【手続補正１】
【補正対象書類名】明細書
【補正対象項目名】００１３
【補正方法】変更
【補正の内容】
【００１３】
一方、図４に示す光ディスク３０１をＤＶＤ＋Ｒ又はＤＶＤ＋ＲＷとしてこれにデータを書き込む場合にも、まず、光学ヘッド３１０により光ディスク３０１からピックアップされた信号がウォブル検出回路３３０に入力される。この入力を受けて、ウォブル検出回路３３０はウォブル信号を出力する。そして、このウォブル信号を入力として、ＡＤＩＰアドレスデコーダ３３１はディスク位置情報（ＡＤＩＰアドレス）を取り出す。


【手続補正２】
【補正対象書類名】明細書
【補正対象項目名】００１４
【補正方法】変更
【補正の内容】
【００１４】
こうして読み取られたＡＤＩＰアドレスは、タイミング制御回路３３２に入力される。そして、８−１６変調回路３３３は、このタイミング制御回路３３２からの指令を受けて、外部から送られてきた記録対象のデータに変調処理を行い、これをＤＶＤ＋Ｒ／ＲＷ用ライトストラテジ回路３３４に出力する。ＤＶＤ＋Ｒ／ＲＷ用ライトストラテジ回路３３４は、変調されたデータをＤＶＤ＋Ｒ／ＲＷ用の記録パルスに変換して出力する。このＤＶＤ＋Ｒ／ＲＷ用ライトストラテジ回路３３４から出力された記録パルスは、ライトシグナルゲート３３５に送出される。ライトシグナルゲート３３５はタイミング制御回路３３２の指示に従って記録パルスを光学ヘッド３１０に出力する。このライトシグナルゲート３３５から出力された記録パルスは、切替制御信号により入力信号を選択的に出力するセレクタ３４０を介して、光学ヘッド３１０に取り込まれる。これにより、ＤＶＤ＋Ｒ／ＲＷに対するデータの書き込みが行われることとなる。


【手続補正３】
【補正対象書類名】明細書
【補正対象項目名】００２７
【補正方法】変更
【補正の内容】
【００２７】
これらＬＰＰアドレスデコーダ１１０にて生成されるＬＰＰアドレスやＡＤＩＰアドレスデコーダ１１５にて生成されるＡＤＩＰアドレスは、基本的に同一のデータフォーマットに従ったアドレスデータである。すなわち、ＤＶＤ-Ｒ／ＲＷとＤＶＤ＋Ｒ／ＲＷとは、先の図３に示したデータフォーマットに対応したアドレスデータ（ディスク位置情報）が互いに異なる記録フォーマットにて記録されているものであるが、この記録されたデータがデコードされたものは互いに共通のデータとすることができる。なお、これらＬＰＰアドレスやＡＤＩＰアドレスは、切替制御信号により入力信号を選択的に出力するセレクタ１２０を介してタイミング制御回路１３０に出力される。


【手続補正４】
【補正対象書類名】図面
【補正対象項目名】図１
【補正方法】変更
【補正の内容】
【図１】
2004246948.tif 000007
【手続補正５】
【補正対象書類名】図面
【補正対象項目名】図２
【補正方法】変更
【補正の内容】
【図２】
2004246948.tif 000008
【手続補正６】
【補正対象書類名】図面
【補正対象項目名】図４
【補正方法】変更
【補正の内容】
【図４】
2004246948.tif 000009